(57)【要約】【課題】通信環境の悪化を抑えつつ、通信の遅れを低減させたアンテナ切替システムを提供する。【解決手段】アンテナ制御部１４は、測定モードになると、アンテナ切替部１２を介してアンテナ１１をｍ本ずつ順次切り替える。信号処理部１５は、切り替えられたｍ本のアンテナ１１それぞれにより捉えられた無線信号Ｓｉｇ１のＲＳＳＩを測定しつつ、無線信号Ｓｉｇ１からデータを取得する。また、アンテナ制御部１４は、測定モードが終了すると、信号処理部１５の測定結果に基づいて通常モードで使用するアンテナ１１を決定する。【選択図】図１
2015090999.tif 000002
【特許請求の範囲】
【請求項１】
ｎ本（ｎは３以上の正の整数）のアンテナと、前記アンテナにより捉えられた無線信号を受信する信号受信部と、前記信号受信部で使用する前記アンテナを選択的に切り替えるアンテナ切替部と、前記アンテナ切替部を制御し且つ通常モード及び測定モードの２つの動作モードで動作可能な制御部と、前記制御部が前記通常モードで動作中に前記信号受信部で受信された無線信号からデータを取得し、前記制御部が前記測定モードで動作中に前記信号受信部で受信された無線信号の受信信号強度を測定する信号処理部とを備え、
前記制御部は、前記測定モードになると、前記アンテナ切替部を介して前記アンテナをｍ本（ｍは２以上で且つｎよりも小さい正の整数）ずつ順次切り替え、前記信号処理部は、切り替えられた前記ｍ本の前記アンテナそれぞれにより捉えられた前記無線信号の前記受信信号強度を測定しつつ、前記無線信号からデータを取得し、
前記制御部は、前記測定モードが終了すると、前記信号処理部の測定結果に基づいて前記通常モードで使用する前記アンテナを決定することを特徴とするアンテナ切替システム。
【請求項２】
前記制御部は、ｎ本の前記アンテナのうちの前記受信信号強度が大きい方からｍ本の前記アンテナを、前記通常モードで使用するアンテナに決定することを特徴とする請求項１記載のアンテナ切替システム。
【請求項３】
前記制御部は、前記測定モードにおいて、今回選択されたｍ本の前記アンテナの中で前記受信信号強度が最も大きい前記アンテナを、次回選択されるｍ本の前記アンテナのうちの１本に含むことを特徴とする請求項１又は２記載のアンテナ切替システム。
【発明の詳細な説明】
【技術分野】
【０００１】
本発明は、アンテナ切替システムに関する。
【背景技術】
【０００２】
従来より、複数のアンテナから受信電界強度が最も大きいアンテナを適宜選択することで、通信環境の悪化を抑えたダイバーシチ装置が提供されている（例えば特許文献１参照）。特許文献１に記載されたダイバーシチ装置は、３本のアンテナと、アンテナにより捉えられた無線信号を受信する２つの受信部と、３本のアンテナと２つの受信部との間の接続状態を切り替えるアンテナスイッチとを備える。
【０００３】
このダイバーシチ装置では、データ取得時に使用するアンテナを選択するためのダイバーシチ制御用期間が設けられており、このダイバーシチ制御用期間になるまでは、前回のダイバーシチ制御用期間に選択されたアンテナによってデータが取得される。
【０００４】
一方、ダイバーシチ制御用期間になると、アンテナスイッチが切り替えられることで、３本のアンテナから２本のアンテナが選択されるとともに、選択された２本のアンテナと２つの受信部との間がそれぞれ接続される。選択された２本のアンテナにより捉えられた無線信号は対応する受信部にそれぞれ入力され、各受信部に入力された無線信号に基づいて各アンテナの受信電界強度が算出される。
【０００５】
３本のアンテナから２本のアンテナを選択するすべての組み合わせについて上記処理を行った後、算出した各アンテナの受信電界強度に基づいてデータ取得用のアンテナを選択する。そして、ダイバーシチ制御用期間が終了すると、選択されたアンテナによってデータが取得される。なお、ダイバーシチ制御用期間は一定期間ごとに発生し、その都度上記処理を繰り返し行う。
【先行技術文献】
【特許文献】
【０００６】
【特許文献１】特許第４６２４１８６号公報
【発明の概要】
【発明が解決しようとする課題】
【０００７】
上述の特許文献１に示したダイバーシチ装置では、ダイバーシチ制御用期間に算出した受信電界強度が最も大きいアンテナをデータ取得用のアンテナとして選択しており、これにより通信環境が悪化するのを抑えることができる。しかしながら、このダイバーシチ装置では、ダイバーシチ制御用期間が終了するまではデータを取得できないことから、通信が遅れる可能性があった。
【０００８】
本発明は上記問題点に鑑みて為されており、通信環境の悪化を抑えつつ、通信の遅れを低減させたアンテナ切替システムを提供することを目的とする。
【課題を解決するための手段】
【０００９】
本発明のアンテナ切替システムは、ｎ本（ｎは３以上の正の整数）のアンテナと、前記アンテナにより捉えられた無線信号を受信する信号受信部と、前記信号受信部で使用する前記アンテナを選択的に切り替えるアンテナ切替部と、前記アンテナ切替部を制御し且つ通常モード及び測定モードの２つの動作モードで動作可能な制御部と、前記制御部が前記通常モードで動作中に前記信号受信部で受信された無線信号からデータを取得し、前記制御部が前記測定モードで動作中に前記信号受信部で受信された無線信号の受信信号強度を測定する信号処理部とを備え、前記制御部は、前記測定モードになると、前記アンテナ切替部を介して前記アンテナをｍ本（ｍは２以上で且つｎよりも小さい正の整数）ずつ順次切り替え、前記信号処理部は、切り替えられた前記ｍ本の前記アンテナそれぞれにより捉えられた前記無線信号の前記受信信号強度を測定しつつ、前記無線信号からデータを取得し、前記制御部は、前記測定モードが終了すると、前記信号処理部の測定結果に基づいて前記通常モードで使用する前記アンテナを決定することを特徴とする。
【００１０】
このアンテナ切替システムにおいて、前記制御部は、ｎ本の前記アンテナのうちの前記受信信号強度が大きい方からｍ本の前記アンテナを、前記通常モードで使用するアンテナに決定するのが好ましい。
【００１１】
また、このアンテナ切替システムにおいて、前記制御部は、前記測定モードにおいて、今回選択されたｍ本の前記アンテナの中で前記受信信号強度が最も大きい前記アンテナを、次回選択されるｍ本の前記アンテナのうちの１本に含むのも好ましい。
【発明の効果】
【００１２】
本発明の構成によれば、制御部が、通常モードで使用するアンテナを、信号処理部の測定結果に基づいて受信信号強度が大きいアンテナに決定することで、通信環境が悪化するのを抑えることができるという効果がある。また、制御部の動作モードが測定モードに設定された状態では、信号処理部が、各アンテナにより捉えられた無線信号の受信信号強度を測定しつつ、無線信号からデータを取得するので、通信の遅れを低減することができるという効果もある。
【図面の簡単な説明】
【００１３】
【図１】本実施形態のアンテナ切替システムの概略ブロック図である。
【図２】同上を適用した無線通信システムの概略構成図である。
【図３】同上に用いられる無線信号の信号フォーマットである。
【図４】同上の動作を説明するフローチャートである。
【図５】同上の別の動作を説明するフローチャートである。
【発明を実施するための形態】
【００１４】
以下に、アンテナ切替システムの実施形態について図１〜図５を参照しながら説明する。なお、以下の説明において、アンテナ１１ａ〜１１ｊを区別する必要がない場合には、アンテナ１１と表記する。
【００１５】
図２は本実施形態のアンテナ切替システムを適用した無線通信システムの概略構成図である。本実施形態のアンテナ切替システムは、無線通信機器１に搭載されており、無線通信機器１と送信機２とが無線通信を行なう。送信機２は、アンテナ２１を有し、無線通信機器１に対して無線信号Ｓｉｇ１を送信する。また、送信機２は、例えば管理者によって操作されるモニタ装置（図示せず）に内蔵される。なお、送信機２のアンテナ２１は複数であってもよい。
【００１６】
アンテナ切替システムは、例えば無線通信機能を有する分電盤（図示せず）に内蔵されており、モニタ装置から無線送信される指令を受信し、モニタ装置に対して消費電力等の情報を無線送信する。モニタ装置は、分電盤から送信された消費電力等の情報を受信すると、分電盤によって電力が分配される領域の現在又は積算の消費電力を表示する。
【００１７】
本実施形態において、モニタ装置は単一のアンテナ２１（図２参照）を有し、分電盤は複数（本実施形態では１０本）のアンテナ１１ａ〜１１ｊを有している。そして、分電盤は、アンテナ切替システムによって周囲環境に適したアンテナ１１を適宜選択し、モニタ装置との間で安定した無線通信を行なう。
【００１８】
ここに、分電盤は、前面側が開口する矩形箱状に形成された盤本体と、後面側が開口し盤本体の開口を閉塞するようにして盤本体に取り付けられる蓋体とを備え、蓋体の裏面には、放射状に配置された１０本のアンテナ１１ａ〜１１ｊが取り付けられている。なお、アンテナ１１ａ〜１１ｊの取付構造については、インサート成形により蓋体と一体に形成されてもいいし、蓋体に対して貼り付ける構造であってもよい。
【００１９】
上述のように、アンテナ１１ａ〜１１ｊを放射状に配置することで、指向性の強いアンテナを用いた場合にも受信感度を高めることができる。また、アンテナ１１ａ〜１１ｊを蓋体の裏面に取り付けることで、外側からアンテナ１１ａ〜１１ｊが見えることがなく、見栄えのよい分電盤を提供することができる。
【００２０】
図１は本実施形態のアンテナ切替システムの概略ブロック図であり、アンテナ切替システムは、無線通信機器１と、複数（本実施形態では１０本）のアンテナ１１ａ〜１１ｊとを備える。また、無線通信機器１は、アンテナ切替部１２と、ＲＦ部１３と、アンテナ制御部１４（制御部）と、信号処理部１５とを備える。
【００２１】
アンテナ切替部１２は、アンテナ制御部１４から出力される切替信号Ｓｉｇ２に従って、アンテナ１１ａ〜１１ｊの何れかに切り替える。なお、本実施形態では、アンテナ切替部１２によって、１０本のアンテナ１１の中から２本のアンテナ１１を選択することができる。
【００２２】
ＲＦ部１３は、アンテナ１１により捉えられた無線信号Ｓｉｇ１をダウンコンバートし、ベースバンド信号を抽出する。ここに、本実施形態では、ＲＦ部１３により信号受信部が構成されている。
【００２３】
信号処理部１５は、取得部１５１と測定部１５２とを備え、ＲＦ部１３によって抽出されたベースバンド信号を処理する。取得部１５１は、選択されたアンテナ１１により捉えられた無線信号Ｓｉｇ１からデータを取得する。測定部１５２は、選択されたアンテナ１１により捉えられた無線信号Ｓｉｇ１の受信信号強度（ＲＳＳＩ：Ｒｅｃｅｉｖｅｄ  Ｓｉｇｎａｌ  Ｓｔｒｅｎｇｔｈ  Ｉｎｄｉｃａｔｉｏｎ）（以下、「ＲＳＳＩ」という。）を測定する。
【００２４】
アンテナ制御部１４は、アンテナ切替部１２を制御する機能を有し、通常モード及び測定モードの２つの動作モードで動作可能である。測定モードは、通常モードにおいて使用するアンテナ１１を決定（選択）するために、各アンテナ１１により捉えられた無線信号Ｓｉｇ１のＲＳＳＩを測定し、測定したＲＳＳＩの大小を比較するモードである。
【００２５】
通常モードは、測定モードにおいて決定された２本のアンテナ１１のうち受信レベルの大きいアンテナ１１によって、送信機２からの無線信号Ｓｉｇ１に含まれるデータを取得するモードである。従って、通常モードにおいても、各アンテナ１１により捉えられた無線信号Ｓｉｇ１のＲＳＳＩが測定され、測定されたＲＳＳＩの大小が比較される。
【００２６】
つまり、アンテナ制御部１４の動作モードに関わらず、信号処理部１５の測定部１５２が、アンテナ１１により捉えられた無線信号Ｓｉｇ１のＲＳＳＩを測定し、取得部１５１が、アンテナ１１により捉えられた無線信号Ｓｉｇ１からデータを取得するのである。
【００２７】
本実施形態のアンテナ切替システムでは、通常モード及び測定モードの何れの動作モードにおいても、信号処理部１５の取得部１５１が無線信号Ｓｉｇ１からデータを取得するように構成されている。そのため、従来例のようにダイバーシチ制御用期間が終了してからデータを取得する場合に比べて、通信の遅れを低減することができる。
【００２８】
図３は、アンテナ制御部１４の動作モードが測定モードである場合に、送信機２より送信される無線信号Ｓｉｇ１の信号フォーマットの一例であり、アンテナ比較部とデータ部とで構成される。
【００２９】
アンテナ比較部は、例えば一般的なプリアンブル信号からなり、プリアンブルが検出されると、選択された２本のアンテナ１１のＲＳＳＩの大小を比較し、ＲＳＳＩが大きいアンテナ１１が選択される。また、データ部には、比較結果に応じて選択されたアンテナ１１により取得されるデータ（例えば、消費電力等の情報の要求指令）が含まれている。
【００３０】
ここに、ユニークワードを検出した後にＲＳＳＩを比較しようとすると、その後に続くペイロードを受信できない場合がある。この場合、上記アンテナ比較部においてプリアンブルとユニークワードの組み合わせを複数個連続して送るようにすればよく、これによりユニークワードを検出した後にＲＳＳＩを比較しても、その後に続くペイロードを受信することができる。
【００３１】
次に、アンテナ切替システムにおける測定モードの一例について、図４に示すフローチャートを参照しながら説明する。なお、図４中のｉは、ｉ番目のアンテナ１１を示している。
【００３２】
まず最初に、アンテナ制御部１４は、１，２番目のアンテナ１１ａ，１１ｂに切り替える切替信号Ｓｉｇ２をアンテナ切替部１２に出力し、アンテナ切替部１２を介してアンテナ１１ａ，１１ｂに切り替える（ステップＳ１）。アンテナ１１ａ，１１ｂにより捉えられた無線信号Ｓｉｇ１中のユニークワードが検出されると、アンテナ制御部１４は、アンテナ１１ａ，１１ｂの性能比較を行なう。
【００３３】
具体的には、信号処理部１５の測定部１５２が、アンテナ１１ａ，１１ｂにより捉えられた無線信号Ｓｉｇ１のＲＳＳＩをそれぞれ測定（アンテナｉとアンテナ（ｉ＋１）のＲＳＳＩを測定）する（ステップＳ２）。そして、アンテナ制御部１４が、測定したＲＳＳＩの大小を比較する（ステップＳ３）。
【００３４】
アンテナ１１ａのＲＳＳＩがアンテナ１１ｂのＲＳＳＩ以上である場合には（ステップＳ３のＹｅｓ）、信号処理部１５の取得部１５１が、アンテナ１１ａにより捉えられた無線信号Ｓｉｇ１からデータを取得する（ステップＳ４）。また、アンテナ１１ｂのＲＳＳＩがアンテナ１１ａのＲＳＳＩより大きい場合には（ステップＳ３のＮｏ）、信号処理部１５の取得部１５１が、アンテナ１１ｂにより捉えられた無線信号Ｓｉｇ１からデータを取得する（ステップＳ５）。
【００３５】
その後、アンテナ制御部１４は、取得した各アンテナ１１ａ，１１ｂのＲＳＳＩを、各アンテナ１１ａ，１１ｂにそれぞれ対応付ける形で記憶部（図示せず）に記憶させる（ステップＳ６）。
【００３６】
次に、アンテナ制御部１４は、現時点で１，２番目のアンテナ１１ａ，１１ｂを選択していることから（ステップＳ７のＮｏ）、アンテナ切替部１２を介して３，４番目のアンテナ１１ｃ，１１ｄに切り替える（ステップＳ８）。そして、選択した３，４番目のアンテナ１１ｃ，１１ｄに対して、同様に、ステップＳ２〜Ｓ６の処理が行なわれる。
【００３７】
以下同様にして、５，６番目のアンテナ１１ｅ，１１ｆ、７，８番目のアンテナ１１ｇ，１１ｈ、９，１０番目のアンテナ１１ｉ，１１ｊに対して、ステップＳ２〜Ｓ６の処理が繰り返し行われる。そして、９，１０番目のアンテナ１１ｉ，１１ｊに対してステップＳ２〜Ｓ６の処理が行われると（ステップＳ７のＹｅｓ）、アンテナ制御部１４は、アンテナ１１ａ〜１１ｊのＲＳＳＩを比較し、ＲＳＳＩが大きい２本のアンテナ１１を決定する（ステップＳ９）。
【００３８】
上述のように、アンテナ制御部１４が、通常モードで使用するアンテナ１１を、信号処理部１５の測定結果に基づいてＲＳＳＩが大きいアンテナ１１に決定することで、通信環境が悪化するのを抑えることができる。また、アンテナ制御部１４の動作モードが測定モードに設定された状態では、信号処理部１５が、各アンテナ１１により捉えられた無線信号Ｓｉｇ１のＲＳＳＩを測定しつつ、無線信号Ｓｉｇ１からデータを取得する。そのため、従来例のようにダイバーシチ制御用期間が終了してからデータを取得する場合に比べて、通信の遅れを低減することもできる。
【００３９】
さらに、本実施形態では、測定モードで選択するアンテナ１１の本数と、通常モードで使用するアンテナ１１の本数を同じ本数（２本）としている。これにより、送信機２から送信される無線信号Ｓｉｇ１の信号フォーマットを、通常モードと測定モードとで共通化することができる。
【００４０】
また、本実施形態のように、２本のアンテナ１１でダイバーシチを行うことで、人が動くなど急な環境変化によるマルチパスフェージング（受信レベル変動）にも対応することができる。さらに、従来例のように２つの受信部を備えている場合に比べて、コストアップを抑えることができる。
【００４１】
次に、アンテナ切替システムにおける測定モードの別の例について、図５に示すフローチャートを参照しながら説明する。なお、図５中のｉ，ｊは、ｉ番目，ｊ番目のアンテナ１１をそれぞれ示している。
【００４２】
まず最初に、アンテナ制御部１４は、１，２番目のアンテナ１１ａ，１１ｂに切り替える切替信号Ｓｉｇ２をアンテナ切替部１２に出力し、アンテナ切替部１２を介してアンテナ１１ａ，１１ｂに切り替える（ステップＳ１１）。アンテナ１１ａ，１１ｂにより捉えられた無線信号Ｓｉｇ１中のユニークワードが検出されると、アンテナ制御部１４は、アンテナ１１ａ，１１ｂの性能比較を行なう。
【００４３】
具体的には、信号処理部１５の測定部１５２が、アンテナ１１ａ，１１ｂにより捉えられた無線信号Ｓｉｇ１のＲＳＳＩをそれぞれ測定（アンテナｉとアンテナｊのＲＳＳＩを測定）する（ステップＳ１２）。そして、アンテナ制御部１４が、測定したＲＳＳＩの大小を比較する（ステップＳ１３）。
【００４４】
アンテナ１１ａのＲＳＳＩがアンテナ１１ｂのＲＳＳＩ以上である場合には（ステップＳ１３のＹｅｓ）、信号処理部１５の取得部１５１は、アンテナ１１ａにより捉えられた無線信号Ｓｉｇ１からデータを取得する（ステップＳ１４）。また、アンテナ１１ｂのＲＳＳＩがアンテナ１１ａのＲＳＳＩより大きい場合には（ステップＳ１３のＮｏ）、信号処理部１５の取得部１５１は、アンテナ１１ｂにより捉えられた無線信号Ｓｉｇ１からデータを取得する（ステップＳ１５）。
【００４５】
ここで、アンテナ制御部１４は、１，２番目のアンテナ１１ａ，１１ｂのうちＲＳＳＩが大きい方を、次に選択する２本のアンテナ１１のうちの１本とし、さらに３番目のアンテナ１１ｃを選択する（ステップＳ１６〜Ｓ１８）。そして、選択されたアンテナ１１ａ，１１ｂのうちの１本と３番目のアンテナ１１ｃに対して、同様に、ステップＳ１２〜Ｓ１６の処理が行われる。
【００４６】
以下同様にして、１０本目のアンテナ１１ｊと、それまでに残ったアンテナ１１ａ〜１１ｉの何れか１本に対して、ステップＳ１２〜Ｓ１６の処理が行われる。そして、アンテナ制御部１４は、全てのアンテナ１１ａ〜１１ｊに対してステップＳ１２〜Ｓ１６の処理が行われると（ステップＳ１７）、アンテナ１１ａ〜１１ｊのＲＳＳＩを比較し、ＲＳＳＩが大きい２本のアンテナ１１を決定する（ステップＳ１９）。
【００４７】
上述のように、今回選択された２本のアンテナ１１のうちＲＳＳＩが大きいアンテナ１１を、次回選択される２本のアンテナ１１のうちの１本とすることで、それまでに試されたアンテナ１１の中でＲＳＳＩが最も大きいアンテナ１１が常に選択される。これにより、測定モードにおいてもＲＳＳＩが大きいアンテナ１１を常に使用することができ、データを確実に取得することができる。
【００４８】
なお、本実施形態では、測定モードにおいて選択するアンテナ１１の本数が２本の場合を例に説明したが、アンテナ切替システムが備えるアンテナ１１よりも少ない本数であれば３本以上であってもよい。また、本実施形態では、測定モードにおいて選択するアンテナ１１の本数と、通常モードにおいて使用するアンテナ１１の本数とが同じ場合を例に説明したが、必ずしも同じ本数にする必要はなく、異なっていてもよい。
【００４９】
さらに、本実施形態では、アンテナ切替システムが備えるアンテナ１１の本数が１０本の場合を例に説明したが、少なくとも３本のアンテナ１１を備えていればよく、本実施形態に限定されない。また、アンテナ１１のＲＳＳＩを測定する方法は本実施形態に限定されず、例えば１０本のアンテナ１１ａ〜１１ｊから２本のアンテナ１１を選択するすべての組み合わせについてＲＳＳＩを測定してもよい。
【００５０】
さらに、本実施形態では、測定モードにおいて２本のアンテナ１１のＲＳＳＩの大小を比較し、ＲＳＳＩが大きいアンテナ１１により後続のデータを取得している。これに対して、パケット中に含まれるユニークワードを検出したアンテナにより後続のペイロードを受信するようにしてもよい。
【００５１】
この場合、１つのパケットが、複数対のプリアンブル及びユニークワードと、その後に続けて送信されるペイロードとで構成され、２本のアンテナを所定周期で切り換えながら上記パケットを受信する。この際、一方のアンテナによりパケット中のユニークワードが検出されると、ユニークワードを検出したアンテナを選択し、選択したアンテナにより後続のペイロードを受信する。
【００５２】
また、本実施形態では、測定モードにおいて各アンテナ１１のＲＳＳＩの大小を比較し、ＲＳＳＩが大きいアンテナ１１を通常モードで使用するアンテナ１１としている。これに対して、２本以上のアンテナ１１を同時に使用してデータを取得する場合、各アンテナ１１のＲＳＳＩだけではなく、各アンテナ１１の指向性を考慮してアンテナ１１を選ぶのが好ましい。
【００５３】
例えば、１０本のアンテナ１１の中から２本のアンテナ１１を選択する場合、指向性の異なるアンテナ１１の組み合わせが様々であれば、電波伝搬のエリアが大きく異なってくる。そのため、この場合には、１０本のアンテナ１１の中から２本のアンテナ１１を選択するすべての組み合わせの中から、使用するアンテナ１１の組み合わせを選択するのが好ましい。
【００５４】
また、２本のアンテナ１１を選択する方法として、ＲＳＳＩが最も大きいアンテナ１１と、このアンテナ１１に対してアンテナ指向性が最も異なるアンテナ１１を選ぶようにしてもよい。例えば、本実施形態のように、１０本のアンテナ１１を放射状に配置した場合、ＲＳＳＩが最も大きいアンテナ１１と、このアンテナ１１の指向性の向きと逆向き（１８０度反対向き）の指向性を有するアンテナ１１を選べばよい。
【００５５】
さらに、上述の測定モードは定期的に実施するのが好ましく、また定期的に測定モードを実施した結果が同じであれば、測定モードを実施する間隔を長くすればよい。また、巡回冗長検査（Ｃｙｃｌｉｃ  Ｒｅｄｕｎｄａｎｃｙ  Ｃｈｅｃｋ：ＣＲＣ）によりエラーを検出した場合に測定モードを実施するようにしてもよい。さらに、受信不能状態が一定時間続いたアンテナの組み合わせについては、周囲環境の変化を検知するまでは不使用とするのが好ましい。
【００５６】
また、本アンテナ切替システムを備えた無線通信機器の移動を検知した場合に測定モードを実施するようにしてもよく、さらに無線通信機器が移動を続けている場合には高頻度で測定モードを実施するのが好ましい。また、無線通信機器の移動を検知しない場合でも、測定モードの測定結果が毎回異なる場合には周囲環境の変化が大きいと判断し、高頻度で測定モードを実施するのが好ましい。
【００５７】
さらに、例えば２本のアンテナを比較する場合には、両アンテナ間の相関値が所定値以下となるものを選択するのが好ましい。また、ストリーミング動画などの連続信号を受信する場合には、サムネイルなどを事前のテスト信号とし、このテスト信号を受信した際に測定モードを実施するのも好ましい。さらに、最初の測定モードでは、全てのアンテナに対してＲＳＳＩの測定を行い、２回目以降の測定モードでは、最初の測定モードよりも少ないアンテナに対してＲＳＳＩの測定を行うのも好ましい。
【００５８】
本実施形態のアンテナ切替システムは、ｎ本のアンテナ１１と、アンテナ１１により捉えられた無線信号Ｓｉｇ１を受信するＲＦ部１３（信号受信部）と、ＲＦ部１３で使用するアンテナ１１を選択的に切り替えるアンテナ切替部１２とを備える。また、アンテナ切替システムは、アンテナ制御部１４（制御部）と、信号処理部１５とを備える。アンテナ制御部１４は、アンテナ切替部１２を制御し且つ通常モード及び測定モードの２つの動作モードで動作可能である。信号処理部１５は、アンテナ制御部１４が通常モードで動作中にＲＦ部１３で受信された無線信号Ｓｉｇ１からデータを取得し、アンテナ制御部１４が測定モードで動作中にＲＦ部１３で受信された無線信号Ｓｉｇ１のＲＳＳＩ（受信信号強度）を測定する。アンテナ制御部１４は、測定モードになると、アンテナ切替部１２を介してアンテナ１１をｍ本ずつ順次切り替える。信号処理部１５は、切り替えられたｍ本のアンテナ１１それぞれにより捉えられた無線信号Ｓｉｇ１のＲＳＳＩを測定しつつ、無線信号Ｓｉｇ１からデータを取得する。また、アンテナ制御部１４は、測定モードが終了すると、信号処理部１５の測定結果に基づいて通常モードで使用するアンテナ１１を決定する。
【００５９】
また、本実施形態のアンテナ切替システムのように、アンテナ制御部１４は、ｎ本のアンテナ１１のうちのＲＳＳＩが大きい方からｍ本のアンテナ１１を、通常モードで使用するアンテナ１１に決定するのが好ましい。
【００６０】
また、本実施形態のアンテナ切替システムのように、アンテナ制御部１４は、測定モードにおいて、今回選択されたｍ本のアンテナ１１の中で受信信号強度が最も大きいアンテナ１１を、次回選択されるｍ本のアンテナ１１のうちの１本に含むのが好ましい。
【符号の説明】
【００６１】
１１  アンテナ
１２  アンテナ切替部
１４  アンテナ制御部（制御部）
１５  信号処理部
Ｓｉｇ１  無線信号
【図１】
2015090999.tif 000003
【図２】
2015090999.tif 000004
【図３】
2015090999.tif 000005
【図４】
2015090999.tif 000006
【図５】
2015090999.tif 000007